(57)【要約】【課題】機能層とカラー層とを有する印刷物を、高い生産性にて形成することが可能な描画装置、および、描画方法を提供する。【解決手段】画像データを作成する画像デザイン部と、画像データから印刷ジョブを生成する印刷ジョブ生成部と、印刷ジョブを、機能層用の印刷ジョブと、カラー層用の印刷ジョブとに分離するデータ分離処理部と、機能層用の印刷ジョブをハーフトーン処理する機能層ハーフトーン処理部と、カラー層用の印刷ジョブをハーフトーン処理するカラー層ハーフトーン処理部と、機能層ハーフトーン処理部およびカラー層ハーフトーン処理部によりハーフトーン処理された機能層用の印刷ジョブおよびカラー層用の印刷ジョブを合成して一ページ相当の描画データに合成するデータ合成処理部と、描画データを一時的に格納する記憶部と、記憶部から入力される描画データに基づいて描画を行なうプリンター部と、を備えたことを特徴とする描画装置。【選択図】図２
2014078188.tif 000002
【特許請求の範囲】
【請求項１】
複数の膜が積層されてなり機能層とカラー層とを有する印刷物を形成するための画像データを作成する画像デザイン部と、
前記画像データから印刷ジョブを生成する印刷ジョブ生成部と、
前記印刷ジョブをハーフトーン処理して描画データを生成するプリンタードライバーと、
前記描画データを一時的に格納する記憶部と、
前記記憶部から入力される前記描画データに基づいて描画を行なうプリンター部と、を備えた描画装置であって、
前記プリンタードライバーが、
前記印刷ジョブ生成部が生成した印刷ジョブを、前記機能層用の印刷ジョブと、前記カラー層用の印刷ジョブとに分離するデータ分離処理部と、
前記機能層用の印刷ジョブをハーフトーン処理する機能層ハーフトーン処理部と、
前記カラー層用の印刷ジョブをハーフトーン処理するカラー層ハーフトーン処理部と、
前記機能層ハーフトーン処理部および前記カラー層ハーフトーン処理部によりハーフトーン処理された前記機能層用の印刷ジョブおよび前記カラー層用の印刷ジョブを合成して一ページ相当の描画データに合成するデータ合成処理部と、
を備えたことを特徴とする描画装置。
【請求項２】
印刷物を形成するための画像データを作成する画像デザイン部と、
前記画像データに基づいた印刷ジョブを生成する印刷ジョブ生成部と、
前記印刷ジョブをハーフトーン処理して描画データを生成するプリンタードライバーと、
前記描画データを一時的に格納する記憶部と、
前記記憶部から入力される前記描画データに基づいて描画を行なうプリンター部と、を備え、
前記プリンタードライバーが、
前記印刷ジョブを、機能層用の印刷ジョブと、カラー層用の印刷ジョブとに分離するデータ分離処理部と、
前記機能層用の印刷ジョブをハーフトーン処理する機能層ハーフトーン処理部と、
前記カラー層用の印刷ジョブをハーフトーン処理するカラー層ハーフトーン処理部と、
前記機能層ハーフトーン処理部および前記カラー層ハーフトーン処理部によりハーフトーン処理された前記機能層用の印刷ジョブおよび前記カラー層用の印刷ジョブを合成して一ページ相当の描画データに合成するデータ合成処理部と、
を備えた描画装置を用いて、複数の膜が積層されてなり機能層とカラー層とを有する印刷物を形成する描画方法であって、
前記画像デザイン部により、前記画像データを作成するステップと、
前記印刷ジョブ生成部により、前記印刷ジョブを生成するステップと、
前記印刷ジョブを、前記データ分離処理部により、前記機能層用の印刷ジョブと、前記カラー層用の印刷ジョブとに分離するステップと、
前記機能層ハーフトーン処理部により前記機能層用の印刷ジョブをハーフトーン処理するとともに、前記カラー層ハーフトーン処理部により前記カラー層用の印刷ジョブをハーフトーン処理するステップと、
前記データ合成処理部により、前記ハーフトーン処理された前記機能層用の印刷ジョブおよび前記カラー層用の印刷ジョブを合成して一ページ相当の描画データに合成するステップと、
前記描画データを前記記憶部に一時格納するステップと、
を含むことを特徴とする描画方法。
【発明の詳細な説明】
【技術分野】
【０００１】
本発明は、描画装置、および、それを用いた描画方法に関する。
【背景技術】
【０００２】
従来より、自動車等の車両に装備される表示装置として、目盛りや文字等からなる意匠部を有する表示板と、この表示板の裏面側に配設された光源とを備えて構成された車両用表示パネルがある。この車両用表示パネルの表示板においては、意匠部の目盛りや文字を除く部分は光が透過しない遮光性の機能層として構成され、目盛りや文字の部分は光が透過する透過性または半透過性のカラー層として構成される。このような機能層とカラー層とからなる構成により、夜間等に光源にて表示板を照明することで、表示板の文字、目盛り等のカラー層が良好な視認性にて表示され、また、高級感や質感などの意匠性を付与することができる。
【０００３】
上記のような表示板は、通常、ポリカーボネート等の樹脂製の透明な基板の表面に、機能層用のインクとカラー層用のインクとをスクリーン印刷などの方法によって印刷（描画）することなどにより製造される。
しかし、スクリーン印刷方式は、１回の印刷動作で単色印刷のみが行われるため、文字等の意匠を形成するためには、色の異なるインクを用いて多数回印刷しなければならない。そのため加工工数や加工時間が増大するという問題がある。また、スクリーン印刷においては、一般に印刷位置や精度や解像度が低いため、形成可能なデザインが制限されてしまうという問題があった。
【０００４】
このようなスクリーン印刷方式に代わる印刷技術として、レーザープリンター電子写真方式、熱転写方式、インクジェット方式等のデジタル印刷技術がある。これらの印刷技術を用いることにより、印刷データからスクリーンマスクを製作することなく樹脂基板に直接描画することが可能であるため、小ロット品種においては、スクリーン印刷方式よりも適している。
このようなデジタル印刷技術の中でも、インクジェット法は、電子制御されたインクジェットヘッドのノズルからインクの液滴を吐出することで印刷をおこなう方法である。この方法においては、装置機構が簡素な構成でイニシャルコストが低いことや、画像解像度を高くできるなどの利点により、ＯＡプリンターなどの分野で急速に普及している。
例えば特許文献１に、インクジェット法による印刷技術を用いて積層印刷を行なう方法が紹介されている。
【先行技術文献】
【特許文献】
【０００５】
【特許文献１】特表２００８−５３０６１９号公報
【発明の概要】
【発明が解決しようとする課題】
【０００６】
しかしながら、特許文献１に記載の描画方法のように、一般的な描画データ生成プログラムにより積層印刷を行なう場合には、デザイナーがデザインした画像データに基づいて生成した印刷ジョブのハーフトーン処理をするときに、機能層とカラー層とではハーフトーン処理を行なうためのルックアップテーブルが異なることから、機能層およびカラー層の各々独立したハーフトーン処理を行なう必要があった。
このため、ハーフトーン処理により得られた描画データが機能層用とカラー層用との２つになるので、積層印刷して形成する一つの印刷物に対して、機能層用およびカラー層用の２ページの描画データを描画装置（印刷装置）に送信し、２ページ相当の描画動作を行なう必要があるため、生産性が低くなるという課題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係る描画装置は、複数の膜が積層されてなり機能層とカラー層とを有する印刷物を形成するための画像データを作成する画像デザイン部と、前記画像データから印刷ジョブを生成する印刷ジョブ生成部と、前記印刷ジョブをハーフトーン処理して描画データを生成するプリンタードライバーと、前記描画データを一時的に格納する記憶部と、前記記憶部から入力される前記描画データに基づいて描画を行なうプリンター部と、を備えた描画装置であって、前記プリンタードライバーが、前記印刷ジョブ生成部が生成した印刷ジョブを、前記機能層用の印刷ジョブと、前記カラー層用の印刷ジョブとに分離するデータ分離処理部と、前記機能層用の印刷ジョブをハーフトーン処理する機能層ハーフトーン処理部と、前記カラー層用の印刷ジョブをハーフトーン処理するカラー層ハーフトーン処理部と、前記機能層ハーフトーン処理部および前記カラー層ハーフトーン処理部によりハーフトーン処理された前記機能層用の印刷ジョブおよび前記カラー層用の印刷ジョブを合成して一ページ相当の描画データに合成するデータ合成処理部と、を備えたことを特徴とする。
【０００９】
本適用例によれば、デザイン部で作成した機能層用の画像データおよびカラー層用の画像データを含む画像データに基づいて、印刷ジョブ生成部で生成した印刷ジョブを、データ分離処理部で機能層用の印刷ジョブとカラー層用の印刷ジョブとに分離し、それぞれの印刷ジョブを機能層ハーフトーン処理部とカラー層ハーフトーン処理部とによりハーフトーン処理したのち、ハーフトーン処理後の機能層用およびカラー層用の描画データをデータ合成処理部で一つの描画データに合成することができる。
これにより、機能層用の描画データとカラー層用の描画データの２ページ分の描画動作でなく、機能層用およびカラー層用描画データが合成された１ページ分相当の描画動作を実施することによって機能層およびカラー層を同時に形成することができるので、複数の膜を積層させて形成される機能層およびカラー層を有する印刷物を効率よく製造することが可能な生産性の高い描画装置を提供することができる。
【００１０】
［適用例２］本適用例に係る描画方法は、印刷物を形成するための画像データを作成する画像デザイン部と、前記画像データに基づいた印刷ジョブを生成する印刷ジョブ生成部と、前記印刷ジョブをハーフトーン処理して描画データを生成するプリンタードライバーと、前記描画データを一時的に格納する記憶部と、前記記憶部から入力される前記描画データに基づいて描画を行なうプリンター部と、を備え、前記プリンタードライバーが、前記印刷ジョブを、機能層用の印刷ジョブと、カラー層用の印刷ジョブとに分離するデータ分離処理部と、前記機能層用の印刷ジョブをハーフトーン処理する機能層ハーフトーン処理部と、前記カラー層用の印刷ジョブをハーフトーン処理するカラー層ハーフトーン処理部と、前記機能層ハーフトーン処理部および前記カラー層ハーフトーン処理部によりハーフトーン処理された前記機能層用の印刷ジョブおよび前記カラー層用の印刷ジョブを合成して一ページ相当の描画データに合成するデータ合成処理部と、を備えた描画装置を用いて、複数の膜が積層されてなり機能層とカラー層とを有する印刷物を形成する描画方法であって、前記画像デザイン部により、前記画像データを作成するステップと、前記印刷ジョブ生成部により、前記印刷ジョブを生成するステップと、前記印刷ジョブを、前記データ分離処理部により、前記機能層用の印刷ジョブと、前記カラー層用の印刷ジョブとに分離するステップと、前記機能層ハーフトーン処理部により前記機能層用の印刷ジョブをハーフトーン処理するとともに、前記カラー層ハーフトーン処理部により前記カラー層用の印刷ジョブをハーフトーン処理するステップと、前記データ合成処理部により、前記ハーフトーン処理された前記機能層用の印刷ジョブおよび前記カラー層用の印刷ジョブを合成して一ページ相当の描画データに合成するステップと、前記描画データを前記記憶部に一時格納するステップと、を含むことを特徴とする。
【００１１】
本適用例によれば、デザイン部で作成した機能層用の画像データおよびカラー層用の画像データを含む画像データに基づいて、印刷ジョブ生成部で生成した印刷ジョブを、データ分離処理部で機能層用の印刷ジョブとカラー層用の印刷ジョブとに分離し、それぞれの印刷ジョブを機能層ハーフトーン処理部とカラー層ハーフトーン処理部とによりハーフトーン処理したのち、ハーフトーン処理後の機能層用およびカラー層用の描画データをデータ合成処理部で一つの描画データに合成することができる。
これにより、機能層用の描画データとカラー層用の描画データの２ページ分の描画動作でなく、機能層用およびカラー層用描画データが合成された１ページ分相当の描画動作を実施することによって機能層およびカラー層を同時に形成することができるので、複数の膜を積層させて形成される機能層およびカラー層を有する印刷物を効率よく製造することが可能な生産性の高い描画方法を提供することができる。
【図面の簡単な説明】
【００１２】
【図１】本発明の描画方法により形成される印刷物の一例を示すものであり、（ａ）は平面図、（ｂ）は、（ａ）のＡ−Ａ線断面図。
【図２】本発明の描画方法にかかる描画装置の概略構成及び制御の流れの要点を示すブロック図。
【図３】描画装置において描画を実行するプリンター部（液滴吐出装置）の構成を示すものであり、（ａ）は、プリンター部の全体の構成を示す概略斜視図、（ｂ）は、吐出ヘッドの配置を示す模式平面図、（ｃ）は、吐出ヘッドの構造を説明するための要部模式断面図。
【発明を実施するための形態】
【００１３】
以下、本発明の一実施形態について、図面を参照して説明する。なお、以下の説明において参照する図面では、図示の便宜上、部材や各部の縦横の縮尺を実際のものとは異なるように表す場合がある。
【００１４】
〔印刷物〕
まず、本発明の描画装置を用いた描画方法で形成される印刷物について述べる。図１は、本発明の印刷物の一実施形態を示すものであり、（ａ）は平面図、（ｂ）は、（ａ）のＡ−Ａ線断面図である。
【００１５】
図１に示す印刷物５０は、液状インクに対して非吸収性の基板２上に、紫外線硬化性の液状インクを用いたインクジェット記録方式により任意の画像を形成したものを示している。印刷物５０は、透明な非吸収性の基板２上に機能性を有する膜が複数積層されて形成された機能層６０と、透過性または半透過性のカラー層が複数積層されて形成されたカラー層７０とを有し、機能層６０とカラー層７０との可視光線透過率の差により任意の画像（本実施形態では複数のアルファベット文字）が視認されるようになっている。
【００１６】
機能層６０は、印刷物５０において機能的な部分を構成するインク層のことを指し、本実施形態の機能層６０は遮光層としての機能を有している。遮光層以外の機能層としては、例えば、任意の層を視認者側から視認できないように遮蔽する機能を有する遮蔽層や、視認者にカラー層の色を鮮やかに視認させる目的でカラー層の下地として積層させる下地層などがある。
本実施形態の機能層６０は、基板２上に遮光性の第１機能層６３と第２機能層６５とがこの順に積層されることにより、遮光性を付与させるように形成された積層膜であり、例えば、光学濃度ＯＤ（Ｏｐｔｉｃａｌ  Ｄｅｎｓｉｔｙ）が５以上で設計される。
【００１７】
機能層６０とカラー層７０とからなる印刷物５０において、カラー層７０は、画像・文字・記号などの種々のグラフィックスを表現する部分である。印刷物５０において、機能層６０は、グラフィックスを形成するカラー層７０以外の全ての部分を指すと言ってよい。
本実施形態のカラー層７０は、基板２上に所定の色特性や光透過性を有する第１光透過膜７３と第２光透過膜７５とがこの順に積層されて形成されている。第１光透過膜７３は半透過性の膜であり、第２光透過膜７５は、例えば透明なクリア層を形成する膜である。これら第１光透過膜７３および第２光透過膜７５が積層されてなるカラー層７０は、可視光線を減衰させて透過するように形成された層であり、例えば、ＯＤ＝１．３で設計されている。また、半透過性の第１光透過膜７３上にクリア層としての第２光透過膜７５を積層させたカラー層７０により、耐久性および質感などの意匠性が付与された画像（アルファベット文字）が形成された印刷物５０として提供することができる。
なお、上記した機能層６０およびカラー層７０のＯＤ値のような光学的特性の設計値は、目的に応じて適宜に設定される。
また、機能層６０やカラー層７０の光学的特性は、各積層膜を形成する際に用いるインクの種類や、図示はしないがインク打ち込み量を調整して各積層膜厚みを変えることにより調整することができる。
【００１８】
〔描画装置〕
次に、基板２に液滴を吐出して上記印刷物５０を形成する描画装置について、図面に従って説明する。図２は、本実施形態の描画方法にかかる描画装置の概略構成及び制御の流れの要点を示すブロック図である。また、図３は、描画装置において描画を実行するプリンター部（液滴吐出装置）の構成を示すものであり、（ａ）は、プリンター部の全体の構成を示す概略斜視図、（ｂ）は、吐出ヘッドの配置を示す模式平面図、（ｃ）は、吐出ヘッドの構造を説明するための要部模式断面図である。
【００１９】
図２において、本実施形態の描画装置１は、画像デザイン部１０１と、画像デザイン部１０１でデザインされた画像データから印刷ジョブを生成する印刷ジョブ生成部１１５、生成した印刷ジョブにハーフトーン処理を施すプリンタードライバー１２０を含む描画制御部１１０と、描画制御部１１０が生成した描画データが一時格納される記憶部１５０と、記憶部１５０から送信される描画データにより基板２に対して描画を行なうプリンター部６と、を備えている。
描画制御部１１０には、印刷ジョブ生成部１１５で生成された印刷ジョブを機能層用の印刷ジョブとカラー層用の印刷ジョブとに分離するデータ分離処理部１２２と、データ分離処理部１２２により分離された機能層用およびカラー層用の各印刷ジョブにハーフトーン処理を施す機能層ハーフトーン処理部１２５、および、カラー層ハーフトーン処理部１２６と、ハーフトーン処理された各印刷ジョブを機能層ハーフトーン処理部１２５およびカラー層ハーフトーン処理部１２６から受信して一つの描画データに合成するデータ合成処理部１２８と、を有している。
上記の描画装置１内の画像デザイン部１０１、描画制御部１１０、記憶部１５０、およびプリンター部６は、通信ネットワークまたは専用通信ケーブルのような通信装置を介して相互通信可能であり、両者間の通信パスに例えばプリントサーバーのような第３装置が介在してもよい。
【００２０】
（プリンター部（液滴吐出装置））
ここで、本実施形態の描画装置１において描画を実行するプリンター部６について、図３に従って詳細に説明する。プリンター部に関しては様々な種類のものがあるが、インクジェット法を用いたプリンター部が好ましい。インクジェット法によるプリンター部（液滴吐出装置）は微小な液滴の吐出が可能であるため、微細加工に適している。
【００２１】
図３（ａ）は、印刷物５０に画像を形成するプリンター部６の構成を示す概略斜視図である。
図３（ａ）に示すように、プリンター部６には直方体形状に形成された基台７を備えている。本実施形態では、この基台７の長手方向をＹ方向とし水平面上でＹ方向と直交する方向をＸ方向とする。そして、鉛直方向をＺ方向とする。液滴を吐出するときに吐出ヘッド２２と被吐出物とが相対移動する方向を主走査方向とする。そして、主走査方向と直交する方向を副走査方向とする。副走査方向は改行するときに吐出ヘッド２２と被吐出物とが相対移動する方向である。本実施形態ではＹ方向を主走査方向とし、Ｘ方向を副走査方向とする。
【００２２】
基台７の上面７ａには、Ｙ方向に延在する一対の案内レール８がＹ方向全幅にわたり凸設されている。その基台７の上側には、一対の案内レール８に対応する図示しない直動機構を備えたステージ９が取付けられている。そのステージ９の直動機構にはリニアモーターやネジ式直動機構等の機構を用いることができる。本実施形態では、例えば、リニアモーターを採用している。そして、ステージ９はＹ方向に沿って所定の速度で往動または復動するようになっている。往動と復動を繰り返すことを走査移動と称す。さらに、基台７の上面７ａには案内レール８と平行に主走査位置検出装置１０が配置され、主走査位置検出装置１０によりステージ９の位置が検出される。
【００２３】
そのステージ９の上面には載置面１１が形成され、その載置面１１には図示しない吸引式の基板チャック機構が設けられている。載置面１１上には基板２が設置され、基板２は基板チャック機構により載置面１１に固定されている。
【００２４】
基台７のＸ方向両側には一対の支持台１２が立設され、その一対の支持台１２にはＸ方向に延びる案内部材１３が架設されている。その案内部材１３の上側には吐出する機能液２６を供給可能に収容する収容タンク１４が設置されている。収容タンク１４には染料または顔料を含む機能液２６が収納されている。
【００２５】
案内部材１３の下側にはＸ方向に延びる案内レール１５がＸ方向全幅にわたって設置されている。案内レール１５に沿って移動可能に取り付けられるキャリッジ１６は略直方体形状に形成されている。そのキャリッジ１６は直動機構を備え、その直動機構は、例えば、ステージ９が備える直動機構と同様の機構を用いることができる。そして、キャリッジ１６が案内レール１５に沿って走査移動する。案内部材１３とキャリッジ１６との間には副走査位置検出装置１７が配置され、キャリッジ１６の位置が計測される。キャリッジ１６の下側にはヘッドユニット１８が設置され、このヘッドユニット１８のステージ９側には図示しない吐出ヘッド２２が凸設されている。
【００２６】
図３（ｂ）に示すように、１つのヘッドユニット１８には、３個の吐出部としての吐出ヘッド２２がＹ方向において等間隔に配列して配置されている。３個の吐出ヘッド２２には赤色、青色、緑色の機能液２６が供給されている。そして、この各色の機能液２６を吐出する吐出ヘッド２２はそれぞれＸ方向に千鳥状に配列して配置されている。
【００２７】
そして、吐出ヘッド２２の表面にはノズルプレート２３が配置され、ノズルプレート２３にはノズル２４が複数形成されている。ノズル２４の数や配列は吐出するパターンと基板２の大きさに合わせて設定すればよい。本実施形態においては、例えば、１個のノズルプレート２３にはノズル２４の配列が１列形成され、各列には１５個のノズル２４が配置されている。
【００２８】
図３（ｃ）に示すように、吐出ヘッド２２は、ノズルプレート２３を備え、ノズルプレート２３には、ノズル２４が形成されている。ノズルプレート２３の図中上側であって、ノズル２４と対向する位置には、ノズル２４と連通する圧力室としてのキャビティ２５が形成されている。そして、吐出ヘッド２２のキャビティ２５には、収容タンク１４に貯留されている液状体としての機能液２６が図示しない流路を介して供給される。
【００２９】
キャビティ２５の上側には、上下方向（Ｚ方向）に振動して、キャビティ２５内の容積を拡大縮小する振動板２７と、上下方向に伸縮して振動板２７を振動させる駆動素子としての圧電素子２８が配設されている。そして、吐出ヘッド２２が圧電素子２８を制御駆動するための素子駆動信号を受けると、圧電素子２８が伸縮する。これにより、振動板２７がキャビティ２５内の容積を拡大縮小してキャビティ２５を加圧する。その結果、吐出ヘッド２２のノズル２４から、縮小した容積分の機能液２６が液滴２９として吐出される。
【００３０】
（描画装置の制御の流れ）
図２に戻り、本実施形態の描画方法における描画装置１の制御の流れについて説明する。
図２において、まず、デザイナーが、画像デザイン部１０１に備わるデザイン用のパーソナルコンピューターなどを用いて、描画装置１により描画する画像データを作成する。画像デザイン部１０１で作成された画像データは、通信ネットワークまたは専用通信ケーブルのような通信装置を介して印刷ジョブ生成部１１５に送信される。
【００３１】
画像デザイン部１０１から送信された画像データを受信した印刷ジョブ生成部１１５は、受信した画像データに基づく印刷ジョブを生成する。印刷ジョブ生成部１１５で生成された印刷ジョブは、プリンタードライバー１２０に送信される。
【００３２】
印刷ジョブ生成部１１５から送信された印刷ジョブは、プリンタードライバー１２０のデータ分離処理部１２２に受信され、機能層用の印刷ジョブとカラー層用の印刷ジョブとに分離される。分離された印刷ジョブのうち、機能層用の印刷ジョブは機能層ハーフトーン処理部１２５に送られてハーフトーン処理が施され、カラー層用の印刷ジョブはカラー層ハーフトーン処理部１２６に送られてハーフトーン処理が施される。
機能層ハーフトーン処理部１２５およびカラー層ハーフトーン処理部１２６によりハーフトーン処理された各印刷ジョブはデータ合成処理部１２８に送られて一つの描画データに合成される。
【００３３】
データ合成処理部１２８で合成された描画データは記憶部１５０に送信されて一時的に格納される。記憶部１５０に格納された描画データは、プリンター部６へ送信される。
プリンター部６は、記憶部１５０から受信した描画データに基づいて、例えば基板（２）などの描画媒体に対して描画を実行する。
【００３４】
〔描画方法〕
次に、上記描画装置１を用いた描画方法の一実施形態について説明する。
【００３５】
本実施形態の描画方法における描画装置１の制御の流れについて説明する。
図２において、まず、デザイナーが、画像デザイン部１０１に備わるデザイン用のパーソナルコンピューターなどを用いて、描画装置１により描画する印刷物５０（図１を参照）の画像データを作成する。
図１に示す印刷物５０の画像データは、機能層６０用の画像データと、カラー層７０用の画像データとを含む。このうち、機能層６０用の画像データは、画像デザイン部１０１において、印刷物５０のデザイナーが機能層６０の形成に使用するインクの種類毎に吐出量などの吐出条件を直接指定するものである。
また、画像データのうちのカラー層７０用の画像データは、画像デザイン部１０１において、デザイン用のソフトウェアを用いて標準的な色空間における画像のデザインを行なうものである。
画像デザイン部１０１で作成された画像データは、通信ネットワークまたは専用通信ケーブルのような通信装置を介して描画装置１の描画制御部１１０に送信される。
【００３６】
画像デザイン部１０１から送信された画像データは、描画制御部１１０の印刷ジョブ生成部１１５が受信する。印刷ジョブ生成部１１５は、受信した画像データに基づく印刷ジョブを生成する。印刷ジョブ生成部１１５で生成された印刷ジョブは、プリンタードライバー１２０に送信される。
【００３７】
印刷ジョブ生成部１１５から送信された印刷ジョブは、プリンタードライバー１２０のデータ分離処理部１２２に受信され、機能層用の印刷ジョブとカラー層用の印刷ジョブとに分離される。
データ分離処理部１２２にて分離された印刷ジョブのうち、機能層６０用の印刷ジョブは機能層ハーフトーン処理部１２５に送られてハーフトーン処理が施され、カラー層７０用の印刷ジョブはカラー層ハーフトーン処理部１２６に送られてハーフトーン処理が施される。
機能層ハーフトーン処理部１２５において、入力された機能層６０用の印刷ジョブは、その印刷ジョブの色の濃度に１対１の関係で出力する色の濃度が決まり、線形１次元のディザマトリクスを参照して量子化処理を行なうことによって機能層６０用の描画データを生成する。
また、カラー層ハーフトーン処理部１２６において、入力されたカラー層７０用の印刷ジョブは、プリンター部６に搭載されているインクの色特性に合わせた色変換処理と、入力された印刷ジョブの色の濃度に対して出力する色の濃度が非線形多次元のディザマトリクスを参照した量子化処理とを行なうことによってカラー層７０用の描画データを生成する。ここで、非線形多次元のディザマトリクスの多次元とは、ＲＧＢの三次元、あるいは、ＣＭＹＫの四次元などのことをいう。
機能層ハーフトーン処理部１２５およびカラー層ハーフトーン処理部１２６によりハーフトーン処理されて生成された機能層用およびカラー層用の各描画データはデータ合成処理部１２８に送られる。
データ合成処理部１２８では、機能層用およびカラー層用の各描画データの論理和を計算し、１つの描画データに合成する。
【００３８】
データ合成処理部１２８で合成された描画データは記憶部１５０に送信されて一時的に格納される。記憶部１５０に格納された描画データは、プリンター部６へ送信される。
プリンター部６は、記憶部１５０から受信した描画データに基づいて、基板２に対してインクを吐出することにより、第１光透過膜７３、第２光透過膜７５、および、第１機能層６３、第２機能層６５を積層させて、機能層６０とカラー層７０とからなる印刷物５０（図１を参照）を形成する。
【００３９】
上記実施形態の描画装置１を用いた描画方法によれば、まず、画像デザイン部１０１で作成した機能層６０用の画像データおよびカラー層７０用の画像データを含む画像データに基づいて、印刷ジョブ生成部１１５で生成した印刷ジョブを、データ分離処理部１２２で機能層用の印刷ジョブとカラー層用の印刷ジョブとに分離した。次に、分離したそれぞれの印刷ジョブを機能層ハーフトーン処理部１２５とカラー層ハーフトーン処理部１２６とによりハーフトーン処理したのち、ハーフトーン処理後の機能層用およびカラー層用の描画データをデータ合成処理部１２８で一つの描画データに合成した。そして、その合成された１ページ分の描画データに基づいてプリンター部６を駆動させ、基板２に対してインクを吐出することにより、第１光透過膜７３、第２光透過膜７５、および、第１機能層６３、第２機能層６５を積層させて、機能層６０とカラー層７０とからなる印刷物５０を形成する構成とした。
これにより、機能層６０用の描画データとカラー層７０用の描画データの２ページ分の描画動作でなく、機能層６０用およびカラー層７０用描画データが合成された１ページ分相当の描画動作を実施することによって機能層６０およびカラー層７０を同時に形成することができるので、複数の膜を積層させて形成される機能層およびカラー層を有する印刷物５０を効率よく製造することが可能な生産性の高い描画装置１、および、それを用いた描画方法を提供することができる。
【００４０】
以上、発明者によってなされた本発明の実施の形態について具体的に説明したが、本発明は上記した実施の形態およびその変形例に限定されるものではなく、その要旨を逸脱しない範囲で種々の変更を加えることが可能である。
【００４１】
例えば、上記実施形態で説明した描画方法は、インクジェットプリンターまたはレーザープリンターのような電子式のプリンター部６に限らず、例えばスクリーン印刷方式のプリンター部を備えた描画システムにも適用することができる。
【符号の説明】
【００４２】
１…描画装置、２…基板、６…プリンター部、７…基台、７ａ…上面、８…案内レール、９…ステージ、１０…主走査位置検出装置、１１…載置面、１２…支持台、１３…案内部材、１４…収容タンク、１５…案内レール、１６…キャリッジ、１７…副走査位置検出装置、１８…ヘッドユニット、２２…吐出ヘッド、２３…ノズルプレート、２４…ノズル、２５…キャビティ、２６…機能液、２７…振動板、２８…圧電素子、２９…液滴、５０…印刷物、６０…機能層、６３…第１機能層、６５…第２機能層、７０…カラー層、７３…第１光透過膜、７５…第２光透過膜、１０１…画像デザイン部、１１０…描画制御部、１１５…印刷ジョブ生成部、１２０…プリンタードライバー、１２２…データ分離処理部、１２５…機能層ハーフトーン処理部、１２６…カラー層ハーフトーン処理部、１２８…データ合成処理部、１５０…記憶部。
【図１】
2014078188.tif 000003
【図２】
2014078188.tif 000004
【図３】
2014078188.tif 000005